【事件の表示】
　特許第３２６４８８６号に関する訂正審判事件について、次のとおり審決する。
【結　論】
　本件審判の請求は、成り立たない。
【理　由】
第１　手続きの経緯
　平成１０年　７月１７日　特許出願（特願平１０−２０３０３８号）
　同　１３年１２月２８日　特許権の設定の登録
　同　１４年　９月　８日　申立人井手由記子による特許異議の申立
　同　　　年　９月１１日　申立人榎光子による特許異議の申立
　　　　　　　　　　　　　（異議２００２−７２２１５号）
　同　１５年　１月３１日　訂正の請求
　同　　　年　５月１３日　手続補正（訂正請求書について）
　同　　　年　８月２７日　特許異議の決定（特許第３２６４８８６号の
　　　　　　　　　　　　　請求項１、２、４に係る特許を取り消す。
　　　　　　　　　　　　　同請求項５に係る特許を維持する。）
　同　　　年１０月１６日　出訴（平成１５年（行ケ）第４５７号）
　同　　　年１２月　５日　本件訂正の審判の請求
　同　１６年　１月　５日　訂正拒絶の理由の通知
　同　　　年　３月　９日　意見書の提出
　
第２　請求の要旨
　本件訂正の審判の請求の要旨は、特許請求の範囲の減縮及び明りょうでない記載の釈明を目的として、設定登録時の願書に添付した明細書（以下「本件特許明細書」という。）を上記平成１５年１２月５日付審判請求書に添付した全文訂正明細書のとおり、すなわち、次のとおり訂正することを求めるものである。
１　訂正事項１
　本件特許明細書の特許請求の範囲
「【請求項１】　おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた保持部材と、該保持部材に一端を保持され該保持部材に所定の間隔で並設された複数の弾性線状部材と、少なくとも前記弾性線状部材に植設された人工毛と、を有することを特徴とするおしゃれ増毛装具。」を
「【請求項１】　おしゃれ用として自毛に変わり色の人工毛を混在させて用いるため又は増毛用として薄くなった自毛に自毛と同色の人工毛を混在させて用いるためのおしゃれ増毛装具であって、細かい網目を有する植毛部材がやや腰のあるテープ部材に巻き付けられ細長い略直方形の板状に形成されて成る保持部材と、該保持部材に設けられた複数の止め具と、前記保持部材に一端を保持され該保持部材に所定の間隔で並設された複数の弾性線状部材と、少なくとも前記弾性線状部材に植設された人工毛と、を有することを特徴とするおしゃれ増毛装具。」と訂正する。（以下「訂正発明１」という。）
２　訂正事項２
　本件特許明細書の特許請求の範囲
「【請求項２】　おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた複数の保持部材と、該複数の保持部材に両端部を保持され該複数の保持部材に所定の間隔で並設された複数の弾性線状部材と、少なくとも前記弾性線状部材に植設された人工毛と、を有することを特徴とするおしゃれ増毛装具。」を
「【請求項２】　おしゃれ用として自毛に変わり色の人工毛を混在させて用いるため又は増毛用として薄くなった自毛に自毛と同色の人工毛を混在させて用いるためのおしゃれ増毛装具であって、細かい網目を有する植毛部材がやや腰のあるテープ部材に巻き付けられ細長い略直方形の板状に形成されて成る複数の保持部材と、該複数の保持部材に設けられた複数の止め具と、前記複数の保持部材に両端部を保持され該複数の保持部材に所定の間隔で並設された複数の弾性線状部材と、少なくとも前記弾性線状部材に植設された人工毛と、を有することを特徴とするおしゃれ増毛装具。」と訂正する。
３　訂正事項３
　本件特許明細書の特許請求の範囲
「【請求項３】　前記複数の弾性線状部材は、一端を１つの保持部材に支持され他端を複数の保持部材により分割されて保持されることを特徴とする請求項２記載のおしゃれ増毛装具。」を
「【請求項３】　前記複数の弾性線状部材は、一端を１つの保持部材に支持され他端を複数の保持部材により分割されて保持されることを特徴とする請求項２記載のおしゃれ増毛装具。」と訂正する。
４　訂正事項４
　本件特許明細書の特許請求の範囲
「【請求項４】　前記複数の弾性線状部材は、前記保持部材に保持される端部の先端が前記保持部材よりも外側に突出して配置されることを特徴とする請求項１、２又は３記載のおしゃれ増毛装具。」を
「【請求項４】　前記複数の弾性線状部材は、前記保持部材に保持される端部の先端が前記保持部材よりも外側に突出して配置されることを特徴とする請求項１、２又は３記載のおしゃれ増毛装具。」と訂正する。
５　訂正事項５
　本件特許明細書の特許請求の範囲
「【請求項５】　前記複数の弾性線状部材は、人の頭部の曲面に対応する曲形を有し且つ頭部の曲面に沿って横にうねる形状を有することを特徴とする請求項１、２、３又は４記載のおしゃれ増毛装具。」を
「【請求項５】　前記複数の弾性線状部材は、人の頭部の曲面に対応する曲形を有し且つ頭部の曲面に沿って横にうねる形状を有することを特徴とする請求項１、２、３又は４記載のおしゃれ増毛装具。」と訂正する。
６　訂正事項６
　本件特許明細書の段落【００１４】
「　　【００１４】
　先ず、請求項１記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた保持部材と、該保持部材に一端を保持され該保持部材に所定の間隔で並設された複数の弾性線状部材と、少なくとも上記弾性線状部材に植設された人工毛と、を有して構成される。」を
「　　【００１４】
　先ず、請求項１記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、細かい網目を有する植毛部材がやや腰のあるテープ部材に巻き付けられ細長い略直方形の板状に形成されて成る保持部材と、該保持部材に設けられた複数の止め具と、上記保持部材に一端を保持され該保持部材に所定の間隔で並設された複数の弾性線状部材と、少なくとも上記弾性線状部材に植設された人工毛と、を有して構成される。」と訂正する。
７　訂正事項７
　本件特許明細書の段落【００１５】
「　　【００１５】
　次に、請求項２記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、複数の止め具と、該止め具を備えた複数の保持部材と、該複数の保持部材に両端部を保持され該複数の保持部材に所定の間隔で並設された複数の弾性線状部材と、少なくとも上記弾性線状部材に植設された人工毛と、を有して構成される。そして、上記複数の弾性線状部材は、例えば請求項３記載のように、一端を１つの保持部材に支持され他端を複数の保持部材により分割されて保持されて構成される。」を
「　　【００１５】
　次に、請求項２記載のおしゃれ増毛装具は、おしゃれ用として自毛に変わり色の人工毛を混在させて用いるため又は増毛用として薄くなった自毛に自毛と同色の人工毛を混在させて用いるためのおしゃれ増毛装具であって、細かい網目を有する植毛部材がやや腰のあるテープ部材に巻き付けられ細長い略直方形の板状に形成されて成る複数の保持部材と、該複数の保持部材に設けられた複数の止め具と、上記複数の保持部材に両端部を保持され該複数の保持部材に所定の間隔で並設された複数の弾性線状部材と、少なくとも上記弾性線状部材に植設された人工毛と、を有して構成される。そして、上記複数の弾性線状部材は、例えば請求項３記載のように、一端を１つの保持部材に支持され他端を複数の保持部材により分割されて保持されて構成される。」と訂正する。
　
第３　訂正拒絶の理由の概要
　平成１６年１月５日付で通知した訂正拒絶の理由のうち訂正発明１に関する部分の概要は、次のとおりである。
「訂正発明１は、本件の特許出願前に日本国内又は外国において頒布された実願昭５９−２４４号（実開昭６０−１１３３２１号）のマイクロフィルム（以下「刊行物１」という。）に記載された発明、特開平１０−７７５１４号公報（以下「刊行物２」という。）に記載された事項及びドイツ国特許出願公開明細書第１９３５２０９号（以下「刊行物３」という。）に記載された事項に基いて当業者が容易に発明をすることができたものであるから、特許法第２９条第２項の規定により特許出願の際独立して特許を受けることができないものであって、本件訂正の審判の請求は、特許法第１２６条第４項の規定に適合しない。」
　
第４　刊行物記載の発明（事項）
１　刊行物１
　刊行物１には、次のとおり記載されている。
ア　明細書第１頁第１６行〜第２頁第５行
「（１）のくしに（２）の人毛（その他合成毛）を取り付けたものを直接自分の髪に挿し、自髪とこのかつらをうまくとかして髪を増やそうとするものである。かつらの毛の色及び毛の質は自分の髪の毛に合わせ、又、自髪の薄い箇所の大きさにより、このかつらのくしの縦横の長さ及び取り付けた毛の量及び毛の長さを調整することにより、より自然に見せることが出来る。」
イ　明細書第２頁第７行〜第１０行
「更により強く固定するため、くしの中程の一本を長くし先を（３）のピン状にし、このピンを自髪にとめる。又、くしの歯の途中にバネを作り、そのバネの中に自髪をはさむこともできる。」
ウ　明細書第２頁第１１行〜第１７行
「このかつらの取付使用法は　（ａ）バックの場合　自分の髪を１ｃｍ前後前に残し、普通のくしと同じ要領でバックに挿し込み、その挿し込んだ土台を押さえて固定し、前に残してあった自髪と一諸にブラシでうまく解かして全部自分の髪のように見せる。」
　上記記載事項及び第１〜３図の記載からみて、刊行物１には次の発明が記載されていると認める。
　増毛用として薄くなった自髪に自髪と同色の合成毛（２）を混在させて用いるためのかつらであって、土台と、くしの歯（１）に設けられたピン（３）又はバネと、土台に一端を保持され、土台に所定の間隔で並設された複数のくしの歯（１）と、少なくともくしの歯（１）に植設された合成毛（２）と、を有するかつら。（以下「刊行物１記載の発明」という。）
２　刊行物２
　刊行物２には、次のとおり記載されている。
ア　公報第２頁第２欄第４９行〜第３頁第３欄第６行
「図１は、本発明を適用したかつら（部分かつら）を裏返した状態で示す説明図である。・・ネット状の台１１には、それを頭部に止めるための櫛状の留め具１３が取り付けられている。」
イ　図１
　図１には、多数の毛髪１２が延びている多数の線状体１１０を支持する縁部分１１１に、４つの留め具１３を取り付けたかつら１０が記載されているものと認められる。
３　刊行物３
　刊行物３には、次のとおり記載されている。
ア　明細書第２頁第１１行〜第１５行（和訳文第３頁第１行〜第４行参照）
「本発明によれば、毛髪は、被覆され、細長く弾性のあるベンド１乃至４に固定されており、そのむき出しの端部５乃至１２が、二つのＷ形の平坦で且つ外側が毛髪により覆われた保持部１３乃至１６の、放射状に耳部から出ている袋部内に差し込まれている。」
　
第５　訂正発明１についての対比・判断
　訂正発明１と、刊行物１記載の発明とを対比すると、後者の「自髪」が前者の「自毛」に相当することは明らかであり、以下同様に、「合成毛」は「人工毛」に、「かつら」は「おしゃれ増毛装具」に、「ピン又はバネ」は「止め具」に、それぞれ相当する。
　そして、後者の「くしの歯」は、その技術的意義からみて、人工毛が植設されている複数の「線状部材」である限りにおいて、前者の「弾性線状部材」と共通し、後者の「土台」は、上記複数の「線状部材」の一端を保持する「保持部材」である限りにおいて、前者の「保持部材」に相当する。
　してみると、両者は、以下の一致点及び相違点を有している。
［一致点］
　増毛用として薄くなった自毛に自毛と同色の人工毛を混在させて用いるためのおしゃれ増毛装具であって、保持部材と、止め具と、保持部材に一端を保持され該保持部材に所定の間隔で並設された複数の線状部材と、少なくとも前記線状部材に植設された人工毛と、を有するおしゃれ増毛装具。
［相違点１］
　前者では、「保持部材」が、「細かい網目を有する植毛部材がやや腰のあるテープ部材に巻き付けられ細長い略直方形の板状に形成されて成る」のに対し、後者では、「保持部材」である土台について特定していない点。
［相違点２］
　前者では、「止め具」が、「保持部材」に備えられ、複数設けられているのに対し、後者では、「止め具」であるピン又はバネが、「線状部材」であるくしの歯に設けられている点。
［相違点３］
　前者では、「線状部材」が、弾性を有するのに対し、後者では、「線状部材」であるくしの歯について、その弾性を特定していない点。
　
　以下上記相違点１〜３について検討する。
［相違点１について］
　かつらにおいて、「細かい網目を有する植毛部材がやや腰のあるテープ部材に巻き付けられ」たベース部材を用いることは従来周知である（必要であれば、実公昭４８−６９５４号公報、実願平３−３２８１号（実開平４−１００２１９号）のマイクロフィルム、実願平２−７４２０４号（実開平４−３３６２１号）のマイクロフィルム、実願昭６０−１１８９１４号（実開昭６２−２８８２７号）のマイクロフィルムを参照）。
　そして、上記相違点１に係る構成が有する技術的意義、特に「保持部材」が「細長い略直方形の板状」に形成されて成ることについても格別なものが認められない以上、「保持部材」をどのような形状とするかは、当業者が適宜選択し得る設計的事項といえる。
　してみると、刊行物１記載の発明において、複数の線状部材の一端を保持する部材として、従来周知の「細かい網目を有する植毛部材がやや腰のあるテープ部材に巻き付けられ」たものを用い、適宜の形状を採用して上記訂正発明１における相違点１に係る構成となすことは、当業者であれば容易になし得たことである。
［相違点２について］
　刊行物２には、毛髪が延びている線状体を支持する縁部分に留め具を複数設けることが記載されている（上記摘記事項「２　刊行物２　ア、イ」参照）。
　そして、刊行物１記載の発明のピン又はバネも、土台においてかつらをより強く固定するために設けられたものであり、刊行物１記載の発明であるかつらをより強く固定するよう刊行物２記載の事項を適用し、「保持部材」である土台に「止め具」であるピン又はバネを複数設け、訂正発明１における相違点２に係る構成のごとくなすことが、当業者にとって格別困難なものと認めることができない。
［相違点３について］
　毛髪が固定される細長いベンド１乃至４を弾性のあるもので構成し、そのベンドを屈曲可能なものとすることにより、頭部の曲面に沿った形とすることが刊行物３に記載されている（上記摘記事項「３　刊行物３　ア」参照）。
　そして、刊行物１記載の発明であるくしが、かつらとして頭部に装着して使用するものであり、また、固定部材としてくしの歯とは別に止め具であるピン又はバネを設けていることを考慮すると、そのかつらのくしの歯の部分を頭部の曲面に沿った形となるようにするという課題は、当然内在されているものと認められる。
　してみると、刊行物１の発明におけるくしの歯に、刊行物３記載のようなある程度変形可能な弾性のある部材を有するものを用い、訂正発明１における相違点３に係る構成となすことは、当業者であれば容易に想到し得たことと認められる。
　
　また、訂正発明１の効果も、上記刊行物１に記載された発明、刊行物２〜３に記載された事項及び周知の事項から、当業者であれば予測できる程度のものであって格別なものとはいえない。
　したがって、訂正発明１は、上記刊行物１に記載された発明、刊行物２〜３に記載された事項及び周知の事項に基いて当業者が容易に発明をすることができたものである。
　
第６　むすび
　以上のとおり、訂正発明１は、刊行物１記載の発明、刊行物２〜３記載の事項及び周知の事項に基いて当業者が容易に発明をすることができたものであって、特許出願の際独立して特許を受けることができるものではないから、請求項１に係る発明を訂正発明１とする訂正事項１を含む本件訂正は、他の訂正事項について検討するまでもなく、特許法第１２６条第４項の規定に適合していない。
　よって、結論のとおり審決する。